(57)【特許請求の範囲】
【請求項１】
複数の筒状体と、該筒状体内にそれぞれ装填された噴出火薬と、外部より該噴出火薬にそれぞれ着火するための導火手段とを有する玩具用噴出花火であって、前記複数の筒状体内には、前記噴出火薬に隣接して設けられ前記筒状体の軸方向に延在する空洞部がそれぞれ設けられ、該空洞部内には前記導火手段が前記筒状体の上方より垂下して配され、前記導火手段は複数の前記筒状体内にそれぞれ装填された噴出火薬に順次連続的に着火するよう構成されていることを特徴とする玩具用噴出花火。
【請求項２】
前記導火手段は、複数の前記筒状体の上方に延在して配された導火線と、該導火線にそれぞれ架設され複数の前記筒状体の前記空洞部内にそれぞれ垂下された導火線とから構成されている請求項１に記載の玩具用噴出花火。
【請求項３】
前記空洞部は略逆円錐体にそれぞれ形成されている請求項１または２に記載の玩具用噴出花火。
【発明の詳細な説明】
【０００１】
【発明の属する技術分野】
本発明は、花火遊戯に供する玩具用噴出花火に関する。
【０００２】
【従来の技術】
従来の玩具用噴出花火は、例えば図５に示すように、噴出火薬５１が筒状体５２内における底止材５３と噴出口形成材５４との間隙空間に装填されており、導火線５５に点火すると、着火薬５６を介して上部の噴出火薬５１から下部の噴出火薬５１に向かって燃焼が進行し、その間、噴出口５７から火花が噴出し続けるように構成されている。
【０００３】
【発明が解決しようとする課題】
このように、従来の玩具用噴出花火は、上部の噴出火薬から下部の噴出火薬に向かって徐々に燃焼が進行する作用によって、その間、継続的な火花噴出現象が生起するものであった。
【０００４】
そこで、本願は上記従来の噴出現象とは異なる現象を生起させる玩具用噴出花火を提案するものであり、すなわち、本発明の課題は、従来の玩具用噴出花火による継続的な火花噴出現象とは全く異なる、瞬発的な火花噴出現象を呈する新規な玩具用噴出花火を提供することにある。
【０００５】
【課題を解決するための手段】
上記課題を解決するものは、複数の筒状体と、該筒状体内にそれぞれ装填された噴出火薬と、外部より該噴出火薬にそれぞれ着火するための導火手段とを有する玩具用噴出花火であって、前記複数の筒状体内には、前記噴出火薬に隣接して設けられ前記筒状体の軸方向に延在する空洞部がそれぞれ設けられ、該空洞部内には前記導火手段が前記筒状体の上方より垂下して配され、前記導火手段は複数の前記筒状体内にそれぞれ装填された噴出火薬に順次連続的に着火するよう構成されていることを特徴とする玩具用噴出花火である。
【０００６】
前記導火手段は、複数の前記筒状体の上方に延在して配された導火線と、該導火線にそれぞれ架設され複数の前記筒状体の前記空洞部内にそれぞれ垂下された導火線とから構成されていることが好ましい。前記空洞部は略逆円錐体にそれぞれ形成されていることが好ましい。
【０００７】
前記複数の筒状体は一列に配されており、前記導火手段は当該列に沿って順次連続的に着火するように配されていることが好ましい。前記複数の筒状体は、集束されて配されていてもよい。前記筒状体は内部が区画されて形成された複数の噴出火薬装填室を有し、該噴出火薬装填室には噴出火薬が装填されると共に、該噴出火薬に隣接し、かつ前記筒状体の軸方向に延在する空洞部が設けられていてもよい。
【０００８】
本発明の玩具用噴出花火は、筒状体の軸方向に延在する空洞部が噴出火薬に隣接して設けられているため、噴出火薬の着火面積が大きく火花および炎が瞬発的に噴出する。また、このように構成された筒状体を複数並設することにより、連続して瞬発的な火花および炎が噴出し、従来にない優美で迫力ある噴出現象が生起される。
【０００９】
【発明の実施の形態】
以下、本発明の玩具用噴出花火を、図面に示した実施例を用いて説明する。まず、図１ないし図３に示した玩具用噴出花火１について説明する。図１は本発明の玩具用噴出花火の一実施例の正面図であり、図２は図１のＡ−Ａ線断面図であり、図３は図１に示した玩具用噴出花火の縦断面拡大図である。
【００１０】
この実施例の玩具用噴出花火１は、図３に示すように、複数の筒状体２ａ，２ｂ，２ｃ，２ｄ，２ｅと、筒状体２ａ，２ｂ，２ｃ，２ｄ，２ｅ内にそれぞれ装填された噴出火薬３ａ，３ｂ，３ｃ，３ｄ，３ｅと、外部より噴出火薬３ａ，３ｂ，３ｃ，３ｄ，３ｅにそれぞれ着火するための導火手段４とを有する玩具用噴出花火であって、複数の筒状体２ａ，２ｂ，２ｃ，２ｄ，２ｅ内には、噴出火薬３ａ，３ｂ，３ｃ，３ｄ，３ｅに隣接して設けられ筒状体２ａ，２ｂ，２ｃ，２ｄ，２ｅの軸方向に延在する空洞部５ａ，５ｂ，５ｃ，５ｄ，５ｅがそれぞれ設けられている。以下、各構成について順次詳述する。
【００１１】
筒状体２ａ，２ｂ，２ｃ，２ｄ，２ｅは、本体部を構成する部位であり、図１および図２に示すように台座６上に一列に配され、それぞれ固着されている。なお、この実施例の筒状体２ａ，２ｂ，２ｃ，２ｄ，２ｅは円筒体にて形成され、それぞれが離間して配置されているが、筒状体であれば例えば多角筒状体などでもよく、また、筒状体相互が当接して立設されていてもよく、さらには一つの筒状体内部が複数に区画されて、複数の噴出火薬装填室が形成され、該噴出火薬装填室には噴出火薬が装填されると共に、該噴出火薬に隣接し、かつ前記筒状体の軸方向に延在する空洞部がそれぞれ設けられたものであってもよい。さらに、この実施例の筒状体２ａ，２ｂ，２ｃ，２ｄ，２ｅは一列に配され当該列に沿って順次連続的に着火するように構成されているが、これに限定されるものではなく、複数の筒状体を備える場合、それぞれがどのような相対的位置に配列されていてもよい。
【００１２】
また、この実施例の玩具用噴出花火１は５本の筒状体を有しているが、これに限定されるものではなく、１以上の筒状体を有するものは広く本発明の範疇に包含される。ただし、玩具煙火には火薬取締法の薬量制限があるため、現行法下では７本程度の筒状体を有するものまでが好適に作製可能と考えられる。
【００１３】
筒状体２ａ，２ｂ，２ｃ，２ｄ，２ｅ内には、図２または図３に示すように噴出火薬３ａ，３ｂ，３ｃ，３ｄ，３ｅがそれぞれ装填されている。具体的には、噴出火薬３ａ，３ｂ，３ｃ，３ｄ，３ｅは、筒状体２ａ，２ｂ，２ｃ，２ｄ，２ｅの上部付近において略水平方向にそれぞれ設けられた噴出口形成材７ａ，７ｂ，７ｃ，７ｄ，７ｅと、筒状体２ａ，２ｂ，２ｃ，２ｄ，２ｅの下部付近において略水平方向にそれぞれ設けられた底止材８ａ，８ｂ，８ｃ，８ｄ，８ｅと、筒状体２ａ，２ｂ，２ｃ，２ｄ，２ｅの内壁面とにより区画された空間（噴出火薬装填部９ａ，９ｂ，９ｃ，９ｄ，９ｅ）にそれぞれ装填されている。
【００１４】
ただし、本発明の玩具用噴出花火は、瞬発的な噴出現象を生起させるために、噴出火薬３ａ，３ｂ，３ｃ，３ｄ，３ｅの着火面積を広くした点に特徴を有するものであり、この特徴は、噴出火薬装填部９ａ，９ｂ，９ｃ，９ｄ，９ｅ内において、噴出火薬３ａ，３ｂ，３ｃ，３ｄ，３ｅに隣接して、筒状体２ａ，２ｂ，２ｃ，２ｄ，２ｅの軸方向に延在する空洞部５ａ，５ｂ，５ｃ，５ｄ，５ｅがそれぞれ形成されることにより実現される。
【００１５】
具体的には、この実施例では、図２および図３に示すように、噴出火薬装填部９ａ，９ｂ，９ｃ，９ｄ，９ｅの中央部に、筒状体２ａ，２ｂ，２ｃ，２ｄ，２ｅの軸方向に延在する空洞部５ａ，５ｂ，５ｃ，５ｄ，５ｅがそれぞれ設けられ、それらの周囲に円筒状に噴出火薬３ａ，３ｂ，３ｃ，３ｄ，３ｅが装填されている。これにより、噴出火薬３ａ，３ｂ，３ｃ，３ｄ，３ｅの内周面に渡って広く着火させることができ瞬発的な噴出現象を生起させることができる。また、本発明の玩具用噴出花火は、噴出火薬装填部に、空洞部が形成されるため、法上の薬量制限下、より多数の筒状体からなる連射式噴出花火を作製でき、瞬発的な噴出現象を連続的に生起させる、優美で迫力ある花火現象を玩具煙火にて実現できる。
【００１６】
ただし、本発明の玩具用噴出花火における噴出火薬の装填構造は、この実施例の態様に限定されるものではなく、噴出火薬の着火面積を広く確保するために、筒状体の軸方向に延在する空洞部を形成したものを広く包含するものであり、例えば上記実施例とは逆に中央部に噴出火薬を装填しその周囲に空洞部を設けたものなども本発明の範疇に包含される。
【００１７】
導火手段４は、外部より噴出火薬３ａ，３ｂ，３ｃ，３ｄ，３ｅにそれぞれ着火するためのものであり、この実施例では図１に示すように導火線４ａ，４ｂ，４ｃ，４ｄ，４ｅ，４ｆにて構成されている。
【００１８】
具体的には、導火線４ａは筒状体２ａ，２ｂ，２ｃ，２ｄ，２ｅの上方に延在して設けられ、さらに図３に示すように、この導火線４ａに導火線４ｂ，４ｃ，４ｄ，４ｅ，４ｆがそれぞれ架設されて、筒状体２ａ，２ｂ，２ｃ，２ｄ，２ｅの空洞部５ａ，５ｂ，５ｃ，５ｄ，５ｅ内にそれぞれ垂下されている。
【００１９】
導火線４ｂ，４ｃ，４ｄ，４ｅ，４ｆは、空洞部５ａ，５ｂ，５ｃ，５ｄ，５ｅ内において、噴出火薬３ａ，３ｂ，３ｃ，３ｄ，３ｅと当接し、かつ空洞部５ａ，５ｂ，５ｃ，５ｄ，５ｅの下方まで延在している。これにより、噴出火薬３ａ，３ｂ，３ｃ，３ｄ，３ｅをより確実に着火させることができる。
【００２０】
これら導火線４ａ，４ｂ，４ｃ，４ｄ，４ｅ，４ｆの一連の作用としては、導火線４ａの一端に点火すると、他端に向かって燃焼して行き、その間に順次、導火線４ｂ，４ｃ，４ｄ，４ｅ，４ｆを着火させ、これら導火線４ｂ，４ｃ，４ｄ，４ｅ，４ｆを介して、噴出火薬３ａ，３ｂ，３ｃ，３ｄ，３ｅが着火する。そして、筒状体２ａ，２ｂ，２ｃ，２ｄ，２ｅの上部開口（具体的には噴出口形成材７，７ｂ，７ｃ，７ｄ，７ｅにて形成された噴出口）から連続的に瞬発的な火花噴出が生起する。
【００２１】
つぎに、図４に示した本発明の玩具用噴出花火の他の実施例について説明する。図４は本発明の玩具用噴出花火の他の実施例の縦断面図である。この実施例の玩具用噴出花火１０と前述した玩具用噴出花火１との相違は、空洞部の形態、換言すれば噴出火薬の装填構造と、導火手段の配設構造と、噴出口形成材が存在しない点であり他は同じである。同一構成部分について同一符号を付し説明を省略する。
【００２２】
具体的には、この実施例の空洞部１５ａ，１５ｂ，１５ｃ，１５ｄ，１５ｅは略逆円錐体を形成するように、噴出火薬１３ａ，１３ｂ，１３ｃ，１３ｄ，１３ｅがそれぞれ装填されている。また、導火手段は、一本の導火線１４にて構成されており、この導火線１４が噴出火薬１３ａ，１３ｂ，１３ｃ，１３ｄ，１３ｅの内面を沿うように配設されている。さらに、噴出口が噴出口形成材によって形成されることなく、筒状体２ａ，２ｂ，２ｃ，２ｄ，２ｅの上部開口が噴出口となっており、このようなものも本発明の範疇に包含される。
【００２３】
【発明の効果】
請求項１ないし３に記載した発明によれば、従来の玩具用噴出花火による継続的な火花噴出現象とは全く異なる、瞬発的な火花噴出現象を呈する玩具用噴出花火を構成できる。
【図面の簡単な説明】
【図１】本発明の玩具用噴出花火の一実施例の正面図である。
【図２】図１のＡ−Ａ線断面図である。
【図３】図１に示した玩具用噴出花火の縦断面拡大図である。
【図４】本発明の玩具用噴出花火の他の実施例の縦断面図である。
【図５】従来の玩具用噴出花火の縦断面図である。
【符号の説明】
１ 玩具用噴出花火
２ 筒状体
３ 噴出火薬
４ 導火手段
５ 空洞部
６ 台座部
７ 噴出口形成材
８ 底止材
９ 噴出火薬装填部
【図１】
0004685279.tif 000002
【図２】
0004685279.tif 000003
【図３】
0004685279.tif 000004
【図４】
0004685279.tif 000005
【図５】
0004685279.tif 000006